(57)【要約】被覆層と、中間にあるスペーサーとしての糸（２）と、から構成された、ファブリック、機能性素材又はマットが開示されている。糸（２）は、上部被覆層（４）及び下部被覆層（４’）に固定されて対をなす、スペーサーグリップ（３、３’）に取り付けられている。
2010509104.tif 000002
【特許請求の範囲】
【請求項１】
被覆層と、その間にスペーサーとして配設される糸と、から構成されるファブリック、機能性素材又はマットであって、
糸（２）が、対をなすスペーサーグリップ（３）に取り付けられ、
これらのスペーサーグリップ（３）が、上部被覆層（４’）及び下部被覆層（４）に接続されている、ことを特徴とするファブリック、機能性素材又はマット。
【請求項２】
前記被覆層（４、４’）の少なくとも一方が、機能性の膜として設けられる、ことを特徴とする請求項１に記載のファブリック、機能性素材又はマット。
【請求項３】
前記被覆層（４、４’）の少なくとも一方が、水及び気体に対して密封された素材として設けられる、ことを特徴とする請求項１に記載のファブリック、機能性素材又はマット。
【請求項４】
前記被覆層（４、４’）の双方が、水及び気体に対して密封された素材で設けられる、ことを特徴とする請求項１に記載のファブリック、機能性素材又はマット。
【請求項５】
前記ファブリック、機能性素材又はマット（１）が、前記スペーサーストリップ（３）の間に、充填材（５）を備える、ことを特徴とする請求項１乃至４の何れかに記載のファブリック、機能性素材又はマット。
【請求項６】
前記充填材（５）が、前記スペーサーグリップ（３）の間で、前記糸（２）によって貫通されている、ことを特徴とする請求項１乃至５の何れかに記載のファブリック、機能性素材又はマット。
【請求項７】
前記充填材（５）が、フリースを詰めたものである、ことを特徴とする請求項１乃至５の何れかに記載のファブリック、機能性素材又はマット。
【請求項８】
前記充填材（５）が、ダウンである、ことを特徴とする請求項１乃至５の何れかに記載のファブリック、機能性素材又はマット。
【請求項９】
前記糸（２）が、前記対をなすスペーサーストリップ（３）を通して縫合される、ことを特徴とする請求項１に記載のファブリック、機能性素材又はマット。
【請求項１０】
前記スペーサーグリップ（３）が、複数の幅狭で対をなすストリップである、ことを特徴とする請求項１に記載のファブリック、機能性素材又はマット。
【請求項１１】
前記スペーサーグリップ（３）が、幅１０〜４０ｍｍの対をなすストリップである、ことを特徴とする請求項１に記載のファブリック、機能性素材又はマット。
【請求項１２】
縫目が、ループを形成するモノフィラメントのチェーンステッチとして設けられる、ことを特徴とする請求項９に記載のファブリック、機能性素材又はマット。
【請求項１３】
前記スペーサーグリップ（３）の間隔が、前記ループによって調整される、ことを特徴とする請求項１乃至１２の何れかに記載のファブリック、機能性素材又はマット。
【請求項１４】
前記糸（２）が、前記スペーサーグリップ（３）を通して編み込まれる、ことを特徴とする請求項１乃至１３の何れかに記載のファブリック、機能性素材又はマット。
【請求項１５】
前記スペーサーグリップ（３）が、接着剤を備えた、ことを特徴とする請求項１に記載のファブリック、機能性素材又はマット。
【請求項１６】
前記糸（２）が、前記スペーサーグリップ（３）に接着剤で固定された、ことを特徴とする請求項１乃至１５の何れかに記載のファブリック、機能性素材又はマット。
【請求項１７】
前記スペーサーグリップ（３）が、前記被覆材（４、４’）に接着剤で固定された、ことを特徴とする請求項１乃至１５の何れかに記載のファブリック、機能性素材又はマット。
【請求項１８】
前記接着剤の活性化が、前記接着剤の溶融温度以上かつ前記被覆層の溶融温度以下で、前記サンドイッチ構造の加熱及び押圧を通じて生じる、ことを特徴とする請求項１５乃至１７の何れかに記載のファブリック、機能性素材又はマット。
【請求項１９】
前記充填材（５）が、接着位置側部の接着剤の流出上に接着されている、ことを特徴とする請求項１５乃至１７の何れかに記載のファブリック、機能性素材又はマット。
【請求項２０】
前記接着剤が、ホットメルトの接着剤である、ことを特徴とする請求項１５に記載のファブリック、機能性素材又はマット。
【請求項２１】
前記接着剤が、空気中で硬化する低融点の接着剤である、ことを特徴とする請求項１５に記載のファブリック、機能性素材又はマット。
【請求項２２】
前記スペーサーグリップ（３）が、複数のストリップから構成される、ことを特徴とする請求項１に記載のファブリック、機能性素材又はマット。
【請求項２３】
前記スペーサーストリップが、マットにおいて縦に延びる、ことを特徴とする請求項１乃至２２の何れかに記載のファブリック、機能性素材又はマット。
【請求項２４】
前記スペーサーストリップが、マットにおいて横に延びる、ことを特徴とする請求項１乃至２２の何れかに記載のファブリック、機能性素材又はマット。
【請求項２５】
前記スペーサーストリップが、縫目に沿って任意の形で延びる、ことを特徴とする請求項１乃至２２の何れかに記載のファブリック、機能性素材又はマット。
【請求項２６】
前記スペーサーグリップ（３）が、モノフィラメントのフリースで設けられる、ことを特徴とする請求項１に記載のファブリック、機能性素材又はマット。
【請求項２７】
前記充填材（５）が、マットのための自己膨張力を有する、ことを特徴とする請求項１乃至２６の何れかに記載のファブリック、機能性素材又はマット。
【請求項２８】
前記充填材（５）が、気泡体である、ことを特徴とする請求項１乃至２７の何れかに記載のファブリック、機能性素材又はマット。
【請求項２９】
前記気泡体が、縫目の間に固定されている、ことを特徴とする請求項１乃至２７の何れかに記載のファブリック、機能性素材又はマット。
【請求項３０】
前記マット（１）が、少なくとも一つのバルブを備えた、ことを特徴とする請求項１に記載のファブリック、機能性素材又はマット。
【請求項３１】
前記マット（１）が、側端で結合されている、ことを特徴とする請求項１に記載のファブリック、機能性素材又はマット。
【請求項３２】
前記端部が、高頻度に結合されている、ことを特徴とする請求項１に記載のファブリック、機能性素材又はマット。
【請求項３３】
縦の縫合でエンドレスに製造され、横の縫合で所定長さに作られる、ことを特徴とする請求項１に記載のファブリック、機能性素材又はマット。
【請求項３４】
前記横の縫合に、ホットメルトの追加のストリップを適用して、ホットメルトで前記糸を密封することで、前記スペーサーグリップ（３）と前記糸（２）の毛管現象を停止させる、ことを特徴とする請求項１乃至３３の何れかに記載のファブリック、機能性素材又はマット。
【請求項３５】
前記結合の縫目の横の縫合及び前記糸（２）が、前記結合の縫目を生じさせない間、前記ホットメルトのストリップが、前記糸（２）を押し退ける、ことを特徴とする請求項１乃至３４の何れかに記載のファブリック、機能性素材又はマット。
【請求項３６】
前記ファブリック、機能性素材又はマット（１）が、寝袋の一部として設けられる、ことを特徴とする請求項１乃至３５の何れかに記載のファブリック、機能性素材又はマット。
【請求項３７】
前記ファブリック、機能性素材又はマット（１）が、寝袋として設けられる、ことを特徴とする請求項１乃至３６の何れかに記載のファブリック、機能性素材又はマット。
【請求項３８】
前記ファブリック、機能性素材又はマット（１）が、衣服の内側の裏地として設けられる、ことを特徴とする請求項１乃至３７の何れかに記載のファブリック、機能性素材又はマット。
【請求項３９】
前記マット（１）が、人体の輪郭線に適合する、ことを特徴とする請求項１５乃至１７の何れかに記載のファブリック、機能性素材又はマット。
【請求項４０】
前記マット（１）が、保護覆いとして設けられる、ことを特徴とする請求項１乃至３９の何れかに記載のファブリック、機能性素材又はマット。
【請求項４１】
前記マット（１）が、断熱体及び衝撃プロテクターとして設けられる、ことを特徴とする請求項１乃至４０の何れかに記載のファブリック、機能性素材又はマット。
【請求項４２】
前記マット（１）が、容器（６）のための断熱体及び衝撃プロテクターとして設けられる、ことを特徴とする請求項１乃至４１の何れかに記載のファブリック、機能性素材又はマット。
【請求項４３】
前記被覆材（４）が、接着層と二つのポリウレタン層を有するファブリックから構成される、ことを特徴とする請求項１乃至４２の何れかに記載のファブリック、機能性素材又はマット。
【請求項４４】
請求項１乃至４３の何れかに記載のファブリック、機能性素材又はマットを製造するための方法であって、
（ホットメルトで被覆された）複数対のスペーサーグリップ（３、３’）と、フリースを詰めたもの又はダウンの中間層（５）とを、連続的に縦に縫合するステップと、
被覆層（４、４’）を追加するステップと、
縦横の縫目を製造する又は加えるステップと、
前記サンドイッチ構造をホットプレスで加熱するステップと、
必要により一以上のバルブを取り付けるステップと、
によって特徴づけられる方法。
【発明の詳細な説明】
【技術分野】
【０００１】
本発明は、請求項１の前提部によるファブリック、機能性素材又はマットに関する。
【背景技術】
【０００２】
ファブリック及び機能性素材は、寝袋、カバー類、室内装飾品、リクライニングマットや膨張性のマットのような様々な物品に、きわめて多様な形態と手順で製造されている。しかしながら、従来例ではしばしば、それらの特質が対応する不利益を伴っている。例えば、膨張性のマットは、しばしば厚い上下の層を備えており、比較的重くなってしまう。そのようなマットは、大部分においてきわめて不十分な断熱性しか提供できず、少なくともある処理領域においてはかなりの犠牲が生じている。
【発明の概要】
【発明が解決しようとする課題】
【０００３】
本発明の課題は、従来例よりも軽量で、その良好な断熱性能が高い安定性を併せ備えた、ファブリック、機能性素材又はマットを提供することである。
【課題を解決するための手段】
【０００４】
この問題は、請求項１の特徴部分によって解決される。本発明の成果と有利な実施形態は、それに続く請求項においてカバーされている。
【０００５】
本発明によるファブリック、機能性素材又はマットは、被覆層と、スペーサーとしてその間に配設される糸と、から構成される。糸は、対をなすスペーサーグリップ（spacer
grip）に付けられ、これらのスペーサーグリップは、上下の被覆層に確保される。
【０００６】
本発明の好ましい実施形態によれば、上記ファブリックの被覆層の少なくとも一方が、機能性の膜を有する層であり、例えば一の側で風に対して密封され、他の側で透湿能力を保持するファブリックである。Goretex（登録商標）や
Sympatex（登録商標）のようなベース層は、本発明の特定のファブリックの外側の層を形成することができ、これによりファブリックは、衣服の裏地、寝袋又はカバー類として用いられ得る。
さらに、好ましい実施形態では、一の接着層と二つのポリウレタン層を有するファブリックからなるカバー素材が形成される。
ファブリックの被覆層の一方又は双方を、水及び気体が通り抜けできない素材とすることにより、防水性を有するカバー、あるいは気体及び水が通り抜けできないマットが得られ、好ましい実施形態では、膨張することができる。
【０００７】
好ましい実施形態では、マットは、二つの被覆層の間であって、スペーサーグリップの間に充填材を備える。充填材は、好ましくは、軽量で良好な断熱性を有する素材であり、フリースを詰めたものやダウン又は他の適した素材である。充填材は、好ましくは、二つの被覆層の間のマットの内部において、糸によって貫通される。糸はスペーサーを形成し、好ましくは、対をなすスペーサーグリップを通して縫合され、より好ましくは、ループを形成するモノフィラメントのチェーンステッチが用いられる。ループにより、スペーサーグリップの間の距離が決定される。
【０００８】
スペーサーグリップは、被覆層に取り付けられる上下の幅狭で対をなすストリップ（strip）として実現され、好ましい実施形態では、対をなすストリップの幅は１０〜４０ｍｍである。
充填層が糸によって貫通され、糸が対をなすスペーサーグリップのストリップに取り付けられた、この好ましい実施形態によれば、非常に軽量で、最適な断熱性を持ったマット又はファブリックが得られる。その内部において、マットは、充填材が、多くの既知のマットのように中断又は細分されることなく、ほとんどがコネクターとスペーサーとして用いられる、完全に提供された空間を有している。
さらに好ましい形態によれば、糸が、上下に配置されるスペーサーグリップの間の所望の間隔長さにて、二つのスペーサーグリップの間にスペーサーグリップを通して編み込まれる。
【０００９】
スペーサーグリップ又はスペーサーグリップのストリップは、好ましくは、接着剤によってファブリック又はマットの被覆層上に取り付けられる。スペーサーグリップ自体は、とりわけ糸が縫合され又は編み込まれる領域において、同様に接着剤を備えている。好ましくは、接着剤としてホットメルトの接着剤が用いられ、より好ましくは、空気中で硬化する低融点を有する接着剤が用いられる。
【００１０】
この好ましい実施形態によれば、ファブリック又はマットは、製造後に、例えばスペーサーグリップの被覆層への接着の後、充填材が適用され、スペーサーが接続された後に、糸と固定することができる。接着剤の溶融温度以上かつ被覆層の被覆の溶融温度以下における、被覆層、充填材、スペーサーグリップ及び糸から構成されるサンドイッチ構造の加熱と押圧を通じて、固定がおこなわれる。その過程で、スペーサーグリップと糸又は糸の網目において、このスペーサーグリップがこの現れてくる接着剤によって囲まれ固定されながら、接着剤が溶融する。同時に、充填材が接着場所に同様に接着され、接着剤はこれらの場所の側部に現れる。
【００１１】
上記のスペーサーグリップは、好ましくは、ファブリック又はマットに沿って延びるか横切る、あるいはもしファブリック又はマットの形状又は構造がそれを必要とするなら、上下の層への他の幾何学的配置によって延びる、複数のストリップから形成される。
【００１２】
スペーサーグリップ又はスペーサーグリップのストリップとして用いられるものは、好ましくは、最適であることが明らかとなっているモノフィラメントのフリースから作られる。
【００１３】
上記のファブリック又は機能性素材が、一つの好ましい実施形態に従って、マット、とりわけ上下の被覆層が、気体によって通り抜けできない素材によって作られ、空気を許容する少なくとも一のバルブを有する、膨張性のマットとして実施される場合には、充填材は、マットのために自己膨張する効果を有する。充填材は、気泡体のような開孔素材とすることができ、気泡体が入り込んだ充填材のみが、その膨張効果を達成する。用いられる気泡体は、好ましくは、二つの被覆層の間に縫目を介して固定される。本発明の特定のマットは、好ましくは、その側端で結合され、より好ましくは、その端部が高頻度に結合される。
【００１４】
上記の実施形態によるファブリック、機能性素材又はマットは、好ましくは、縦の縫目によってエンドレスに製造することができ、横の結合によって所望の長さとすることができる。
【００１５】
横の結合とともに、好ましくは、ホットメルトの追加のストリップを適用して、ホットメルトで糸を包み密封することで、スペーサーグリップと糸の毛管現象を停止させる。
【００１６】
横の結合とともに用いられる追加のホットメルトのストリップは、結合される縫目が横に結合されるときに糸が押し退けられ、これにより糸及び／又は縫目が結合場所に乗らず、密封の完全性の損失の場所につながるところで結合されるように実施される。
【００１７】
上記した形態のファブリック、機能性素材又はマットは、寝袋又は寝袋の一部のような他のものにも設けられる。寝袋の場合、被覆層の素材は、適度に軽量で、透湿力を有するように設けられ、層はいわゆる機能性の膜として設けることができる。そのような寝袋では、充填材は、好ましくは、ダウン又は適度に膨張するフリース素材である。
【００１８】
エアマットレス又はエアマットレスと統合された寝袋との組み合わせとして設けるために、下部が補強された被覆層と、上部の被覆層の透湿機能を有する、軽量な上部のデザインとが必要となる。これとともに、充填材は、好ましくは、マットレスに膨らむ性能を与えるために気泡体又は気泡体が入り込んだ素材である。
【００１９】
寝袋のための上記ファブリックは、同様に衣服内部の裏地を作ったり、衣服を完成させるのにも好適である。とりわけ、冬の衣服、スキーウェアのように断熱が多く要求される衣服が、例として挙げられる。
【００２０】
本発明の特定のエアマットレスは、上記の統合された寝袋の有り無しで、一方では最小限の素材を用いて軽量なデザインを可能とするために、他方では最適な寝心地と温かさを可能とするために、好ましくは、人体の輪郭線に適合される。
【００２１】
本発明の特定のマット、とりわけ内部が充填された膨張性のマットレスは、好ましくは、保護覆いとしても設けられ、そのようなマットは、その内部の充填材と断熱性のエアクッションにより、衝撃を吸収することができ、断熱性の内部の充填材により、冷却に対して保護する役割を果たす。
【００２２】
このように断熱体及び保護アイテムとして実施されるマットは、好ましくは、容器のための断熱体及びプロテクターとして用いられ、容器に最良の断熱性を提供し、同時に、衝撃や、必要であれば、例えば落下時の衝突からそれを保護する。
【００２３】
本発明の特定のファブリック、機能性素材又はマットは、複数で、好ましくはホットメルトで被覆された対をなすスペーサーグリップの縦の縫合によって製造され、より好ましくは、フリースを詰めたもの又はダウンの中間層と、縦横にエンドレスな形で縫合され及び／又は結合された、適当な被覆層とを備えるように製造される。
【００２４】
このサンドイッチ構造の加熱及び必要に応じた圧縮により、例えばホットプレスにおいて、縫目、内部の充填材及び糸が接着剤を備え、及び／又は被覆され、マットレスでは、その製造物が一又はそれ以上のバルブを備えることができる。
【図面の簡単な説明】
【００２５】
【図１】ファブリック、機能性素材又はマットの斜視図である。
【図２】ファブリック、機能性素材又はマットの一部拡大図である。
【図３】ファブリック、機能性素材又はマットの横断面図である。
【図４】図３の一部拡大図である。
【図５】保護マットとしてのマットを有する容器である。
【発明を実施するための形態】
【００２６】
以下において、図面を参照した実施例として、本発明をより詳細に説明する。図１は、ファブリック、機能性素材又はマットの斜視図である。図２は、ファブリック、機能性素材又はマットの一部拡大図である。図３は、ファブリック、機能性素材又はマットの横断面図である。図４は、図３の一部拡大図である。図５は、保護マットとしてのマットを有する容器である。
【００２７】
図１は、ファブリック、機能性素材又はマットを示しており、スペーサーグリップのストリップ（３）が、上部被覆層（４’）と下部被覆層（４）に縦に取り付けられている。ここでは、マットは、未だ側端で閉じられていない又は結合されていないものとして示されており、同様に未だ横の結合によって縦に小分割されていないものとして示されている。
【００２８】
図２は、図１に示されるマットの一部拡大図を示しており、これに示すように、糸（２）がスペーサーとして用いられ、上部ストリップ（３’）と下部ストリップ（３）の二つのスペーサーグリップの間には間隔が設けられている。二つの被覆層（４’）（４）の間に、膨張機能を有し、マットとしての実施形態に自己膨張機能を提供する充填材（５）が挿入されている。
【００２９】
次に、図３、図４は、二つの被覆層（４’）（４）と、それらの間に適用される上下のスペーサーグリップ（３）とから構成される、ファブリック、機能性素材又はマットの横断面図を示している。膨張し得るマットレスの二つの被覆層の間の間隔は、糸（２）によって制限されている。被覆層（４’）（４）の間に挿入された充填材は、糸（２）によって貫通され、接着剤の作用によってそれらと固定されている。
【００３０】
図５は、本発明の特定の適当なサイズのマット（１）による容器（６）を示している。容器（６）は、衝撃に対して保護されるとともに、冷却に対するマットの断熱性によって保護されている。
【００３１】
本発明の好ましい実施形態について添付図面を参照して説明したが、本発明はこれらの具体的な実施例に限定されないことを強調しておく。様々な変更や修正が、添付の請求項において規定される発明の範囲から逸脱することなく、当業者によって行われ得る。
【図１】
2010509104.tif 000003
【図２】
2010509104.tif 000004
【図３】
2010509104.tif 000005
【図４】
2010509104.tif 000006
【図５】
2010509104.tif 000007
【手続補正書】
【提出日】平成21年10月28日(2009.10.28)
【手続補正１】
【補正対象書類名】特許請求の範囲
【補正対象項目名】全文
【補正方法】変更
【補正の内容】
【特許請求の範囲】
【請求項１】
被覆層と、その間にスペーサーとして配設される糸と、から構成されるファブリック、機能性素材又はマットであって、
糸（２）が、対をなす少なくとも一つのストリップ又は材料片（３、３’）に取り付けられ、
これらのスペーサーストリップ（３）が、上部被覆層（４’）及び下部被覆層（４）に接続されている、ことを特徴とするファブリック、機能性素材又はマット。
【請求項２】
前記被覆層（４、４’）の少なくとも一方が、水及び気体に対して密封された素材として設けられる、ことを特徴とする請求項１に記載のファブリック、機能性素材又はマット。
【請求項３】
前記被覆層（４、４’）の少なくとも一方が、気体又は液体に対して密封された膜として設けられる、ことを特徴とする請求項１又は２に記載のファブリック、機能性素材又はマット。
【請求項４】
前記被覆層（４、４’）の双方が、水及び気体に対して密封された素材で設けられる、ことを特徴とする請求項１に記載のファブリック、機能性素材又はマット。
【請求項５】
前記ファブリック、機能性素材又はマット（１）が、前記スペーサーストリップ（３）の間に、充填材（５）を備える、ことを特徴とする請求項１乃至４の何れかに記載のファブリック、機能性素材又はマット。
【請求項６】
前記充填材（５）が、前記スペーサーグリップ（３）の間で、前記糸（２）によって貫通されている、ことを特徴とする請求項１乃至５の何れかに記載のファブリック、機能性素材又はマット。
【請求項７】
前記充填材（５）が、フリースを詰めたもの又はダウンである、ことを特徴とする請求項１乃至５の何れかに記載のファブリック、機能性素材又はマット。
【請求項８】
間隔をつくりだす縫目が、ループを形成するモノフィラメントのチェーンステッチとして設けられる、ことを特徴とする請求項１乃至５の何れかに記載のファブリック、機能性素材又はマット。
【請求項９】
前記糸（２）が、前記対をなすスペーサーストリップ（３）を通して縫合される、ことを特徴とする請求項１乃至５の何れかに記載のファブリック、機能性素材又はマット。
【請求項１０】
前記スペーサーグリップ（３）が、接着剤を備えた、ことを特徴とする請求項１に記載のファブリック、機能性素材又はマット。
【請求項１１】
前記糸（２）が、前記スペーサーストリップ（３）に接着剤で固定された、ことを特徴とする請求項１乃至１０の何れかに記載のファブリック、機能性素材又はマット。
【請求項１２】
前記スペーサーグリップ（３）が、前記被覆材（４、４’）に接着剤で固定された、ことを特徴とする請求項１乃至１０の何れかに記載のファブリック、機能性素材又はマット。
【請求項１３】
前記接着剤の活性化が、前記接着剤の溶融温度以上かつ前記被覆層の溶融温度以下で、前記サンドイッチ構造の加熱及び押圧を通じて生じる、ことを特徴とする請求項１０乃至１２の何れかに記載のファブリック、機能性素材又はマット。
【請求項１４】
前記充填材（５）が、接着位置側部の接着剤の流出上に接着されている、ことを特徴とする請求項１０乃至１２の何れかに記載のファブリック、機能性素材又はマット。
【請求項１５】
前記接着剤が、空気中で硬化する低融点の接着剤である、ことを特徴とする請求項１０に記載のファブリック、機能性素材又はマット。
【請求項１６】
前記スペーサーストリップ（３）が、縫目に沿う任意の形で延びる、ことを特徴とする請求項１乃至１５の何れかに記載のファブリック、機能性素材又はマット。
【請求項１７】
前記スペーサーストリップ（３）が、モノフィラメントのフリースで設けられる、ことを特徴とする請求項１に記載のファブリック、機能性素材又はマット。
【請求項１８】
前記充填材（５）が、マットのための自己膨張力を有する、ことを特徴とする請求項１乃至１７の何れかに記載のファブリック、機能性素材又はマット。
【請求項１９】
前記マット（１）が、少なくとも一つのバルブを備えた、ことを特徴とする請求項１に記載のファブリック、機能性素材又はマット。
【請求項２０】
前記マット（１）が、側端で結合されている、ことを特徴とする請求項１に記載のファブリック、機能性素材又はマット。
【請求項２１】
前記端部が、高頻度に結合されている、ことを特徴とする請求項２０に記載のファブリック、機能性素材又はマット。
【請求項２２】
前記ファブリック、機能性素材又はマット（１）が、寝袋の一部又は寝袋として設けられる、ことを特徴とする請求項１乃至２１の何れかに記載のファブリック、機能性素材又はマット。
【請求項２３】
前記ファブリック、機能性素材又はマット（１）が、衣服の内側の裏地として設けられる、ことを特徴とする請求項１乃至２２の何れかに記載のファブリック、機能性素材又はマット。
【請求項２４】
前記マット（１）が、保護覆い及び／又は断熱体及び衝撃プロテクターとして設けられる、ことを特徴とする請求項１乃至２３の何れかに記載のファブリック、機能性素材又はマット。
【請求項２５】
前記被覆材（４）が、接着層と二つのポリウレタン層を有するファブリックから構成される、ことを特徴とする請求項１乃至２４の何れかに記載のファブリック、機能性素材又はマット。
【請求項２６】
請求項１乃至２５の何れかに記載のファブリック、機能性素材又はマットを製造するための方法であって、
複数対のスペーサーグリップ（３、３’）と、フリースを詰めたもの又はダウンの中間層（５）とを、連続的に縦に縫合するステップと、
被覆層（４、４’）を追加するステップと、
縦横の縫目を製造する又は加えるステップと、
前記サンドイッチ構造をホットプレスで加熱するステップと、
必要により一以上のバルブを取り付けるステップと、
によって特徴づけられる方法。
【国際調査報告】
2010509104.tif 000008
2010509104.tif 000009
2010509104.tif 000010
2010509104.tif 000011
2010509104.tif 000012
2010509104.tif 000013